(57)【要約】      （修正有）【課題】着用者の顔面を防護することで、マスクを着用することなく、着用者の咳等による飛沫等の拡散や飛沫等の付着を防止し、防塵、防雨、防風、防水等が可能なフード付き衣服を提供する。【解決手段】フード付き衣服は、着用者の頭部及び頸部を覆うフード本体１１と、フード本体に設けられ、着用者の顔面を露出させる開口部１２と、光透明性を有し、かつ、開口部を閉塞することで少なくとも着用者の顔面を防護するシールド部１３と、着用者の顔面の下方方向を除き、開口部を形成するフード本体の周縁部と、シールド部の外周部とを接続する接続部１４と、を備える。【選択図】図２
0003227230.tif 000002
【実用新案登録請求の範囲】
【請求項１】
着用者の頭部及び頸部を覆うフード本体と、
前記フード本体に設けられ、前記着用者の顔面を露出させる開口部と、
光透明性を有し、かつ、前記開口部を閉塞することで少なくとも前記着用者の顔面を防護するシールド部と、
前記着用者の顔面の下方方向を除き、前記開口部を形成する前記フード本体の周縁部と、前記シールド部の外周部とを接続する接続部と、を備えるフード付き衣服。
【請求項２】
前記シールド部は、前記着用者の頸部前方も防護する請求項１に記載のフード付き衣服。
【考案の詳細な説明】
【技術分野】
【０００１】
本考案はフード付き衣服に関し、より詳細には、光透明性を有し、着用者の顔面を防護するシールド部を備えたフード付き衣服に関する。
【背景技術】
【０００２】
従来から、種々のフード付き衣服が知られている。例えば、特許文献１に開示のフード付き衣服は、その内側で内向きに巻いて折り畳んだフードを、衣服の内側に設けられた長尺状のフード用結束紐を折り返してフードの外側から拘束し、フード用結束紐の端部に設けられた面ファスナーを衣服の外側に設けられた面ファスナーに結合してフードを収納することが記載されている。
【０００３】
また、特許文献２には、フード用結束帯の端部に設けられた係合部を背中に触れない様にすることで、着心地が良く、巻いて折り畳んだフードが首周りの保温機能を有するフード付き衣服が開示されている。
【０００４】
しかし、これらのフード付き衣服であると、着用者がフードをその頭部に被っても、顔面は露出した状態にある。そのため、着用者の顔面に飛沫等が付着したり、或いは、着用者が咳等をした場合には、飛沫等を飛散させてしまうという問題がある。さらに、これらの従来のフード付き衣服では、着用者に対し防塵、防雨、防風、防水することも困難である。
【先行技術文献】
【特許文献】
【０００５】
【特許文献１】実用新案登録第３１７１９９２号公報
【特許文献２】実用新案登録第３２１９８６６号公報
【考案の概要】
【考案が解決しようとする課題】
【０００６】
本考案は、着用者の顔面を防護することで、マスクを着用することなく、着用者の咳等による飛沫等の拡散や飛沫等の付着を防止し、防塵、防雨、防風、防水等が可能なフード付き衣服を提供することを目的とする。
【課題を解決するための手段】
【０００７】
本考案に係るフード付き衣服は、前記の課題を解決するために、着用者の頭部及び頸部を覆うフード本体と、前記フード本体に設けられ、前記着用者の顔面を露出させる開口部と、光透明性を有し、かつ、前記開口部を閉塞することで少なくとも前記着用者の顔面を防護するシールド部と、前記着用者の顔面の下方方向を除き、前記開口部を形成する前記フード本体の周縁部と、前記シールド部の外周部とを接続する接続部と、を備えることを特徴とする。
【０００８】
前記の構成に於いて、前記シールド部は、前記着用者の頸部前方も防護するものであることが好ましい。
【考案の効果】
【０００９】
本考案に係るフード付き衣服は、フード本体に於ける着用者の顔面及び頸部を露出させる開口部を、光透明性を有するシールド部で被覆する。これにより、着用者がフード本体をその頭部に被る際には、シールド部が、着用者の視認性を損なうことなく、少なくともその顔面を防護することができる。その結果、本考案のフード付き衣服では、着用者の咳等による飛沫等の拡散や着用者の顔面への付着を防止し、さらに防塵、防雨、防風及び防水等を可能にする。
【図面の簡単な説明】
【００１０】
【図１】本考案の実施の一形態に係るフード付き衣服を概略的に表す全体図である。
【図２】前記フード付き衣服の部分拡大斜視図である。
【図３】前記フード付き衣服に於けるフード本体を表す斜視図である。
【図４】前記フード付き衣服に於けるシールド部を表す全体図である。
【考案を実施するための形態】
【００１１】
本実施の形態に係るフード付き衣服について、図１〜図４に基づき以下に説明する。
図１は、本実施の形態に係るフード付き衣服を概略的に表す全体図である。図２は、前記フード付き衣服の部分拡大斜視図である。図３は、前記フード付き衣服に於けるフード本体を表す斜視図である。図４は、前記フード付き衣服に於けるシールド部を表す全体図である。
【００１２】
本実施の形態のフード付き衣服１は、図１及び図２に示す様に、フード１０を襟部に有し、上衣２０と一体化された衣服である。本実施の形態のフード付き衣服１は、フード１０に於ける着用者の顔面を露出させる部分を閉塞して当該顔面を防護することで、飛沫等が着用者の顔面に付着するのを防止し、又は着用者の咳等により発生する飛沫等の飛散も防止可能である。さらに、防塵、防雨、防風及び防水等も可能にする。
【００１３】
フード１０と上衣２０を一体化させる方法は特に限定されないが、例えば、フード１０の下端部と上衣２０の襟部の任意の部分とを接合する方法が挙げられる。また、フード１０と上衣２０の接合手段は特に限定されないが、例えば、縫い糸を用いたミシン縫製やスライドファスナー、面状ファスナー、ボタン、ボタンフック、熱接着テープを用いた熱接着、高周波ウエルダーなどを用いた溶着など、一般的な接合手段を用いることができる。
【００１４】
前記フード１０は、フード本体１１と、開口部１２と、シールド部１３と、接続部１４とを少なくとも備える。
【００１５】
フード本体１１は、図２に示すように、着用者の頭部及び頸部の全体を覆う布地からなる。この様な布地としては特に限定されず、通常衣服に用いられる織、編物、不織布等で構成すればよい。その材料も特に限定されず、例えば、ポリエステル、ポリウレタン、ナイロン等の合成繊維、レーヨンなどの再生繊維、ウール、綿等の天然繊維等が挙げられる。尚、本実施の形態のフード付き衣服を雨衣として用いる場合には、ナイロン基布にウレタンコーティングやラミネート等で防水性を付与した透湿防水布を用いてもよい。
【００１６】
フード本体１１は、着用時に於いて着用者の頭部及び頸部の全体を覆う様に、頭部側が底部となると共に、頸部前方側が開口部１２となる円筒形状の内部空間を有する袋状となっている。さらに、フード本体１１には、図１及び図２に示す様に、中央部に縦長楕円形状となる開口部１２が形成されている。これにより、本実施の形態では、正面視に於いて着用者の顔面を露出させることが可能となっている。開口部１２の開口面積は特に限定されないが、本実施の形態では、着用者の顔面及び頸部前方が露出する程度の大きさを有する。
【００１７】
シールド部１３は、図４に示す様に、光透明性を有しており、開口部１２を閉塞することで、着用者の顔面、頸部前方及び胸部の上方を防護する機能を有する。これにより、着用者が咳等をしても飛沫等の飛散を防止することができる。また、着用者の顔面等に飛沫等が付着するのを防止することができる。さらに、降雨の際には、雨滴からも顔面等の保護が可能になる。また、防塵や防風も可能になる。シールド部１３は光透明性を有しているため、着用者は当該シールド部１３を介して外部の視認が可能である。また、シールド部１３は可撓性を有していることが好ましく、これにより、フード付き衣服１を折り畳んで収納することも可能である。
【００１８】
尚、本明細書に於いて、「光透明性」とは、入射した可視光（波長域４００ｎｍ〜７６０ｎｍ）の少なくとも一部を透過する性質を意味する。また光透明性には、無色である場合の他、有色である場合も含む。
【００１９】
シールド部１３の構成材料については特に限定されず、例えば、ポリエステル、ポリウレタン等が挙げられる。
【００２０】
前記シールド部１３の内側表面には、例えば、防曇処理が施されていてもよい。これにより、着用者の視認性の低下を防止することができる。
【００２１】
本実施の形態の接続部１４はスライドファスナー（線ファスナー）であり、開口部側エレメント列１４ａと、シールド部側エレメント列１４ｂと、スライダー１４ｃとからなる。開口部側エレメント列１４ａと、シールド部側エレメント列１４ｂとは対をなす。また、スライダー１４ｃは、図４に示すように、シールド部側エレメント列１４ｂの一端に設けられている。
【００２２】
開口部側エレメント列１４ａは、図３に示す様に、フード本体１１の外側の周縁部に延在して設けられている。また、シールド部側エレメント列１４ｂは、図４に示す様に、シールド部１３の外周部に延在して設けられている。開口部側エレメント列１４ａの一端とシールド部側エレメント列１４ｂの一端とを噛合させた状態で、スライダー１４ｃを他端に向けて移動させることで、開口部側エレメント列１４ａとシールド部側エレメント列１４ｂとを、それらの全長にわたって噛合させることができる。これにより、開口部１２を閉塞する様に、シールド部１３をフード本体１１に分離可能に取り付けることができる。
【００２３】
但し、フード本体１１の外側の周縁部及びシールド部１３の外周部のうち、着用者の顔面の下方方向に於いては、それぞれ開口部側エレメント列１４ａ及びシールド部側エレメント列１４ｂは設けられていない。これにより、着用者の顔面の下方方向に於いては、シールド部１３で開口部１２が閉塞されない状態にする。その結果、着用者の顔面及び頸部はシールド部１３で防護されつつ、胸部上方では開放された状態とし、着用者が息苦しくなるといった不具合を解消して、呼吸の負担を軽減ないし防止することができる。
【００２４】
尚、接続部１４は、本実施の形態ではスライドファスナーである場合を例にして説明したが、本考案はこの態様に限定されない。例えば、本考案の接続部としては、面状ファスナーである場合の他、ボタン、ホックボタンなど種々の留め具を用いることもできる。
【００２５】
また、本実施の形態のフード付き衣服１では、シールド部１３も含めて、紫外線遮蔽機能を付与することで、着用者の日焼け防止を可能にする。さらに、抗菌機能を付与することで、抗菌防臭も可能にする。これにより、良好な衛生状態が要求される環境下に於いても、本実施の形態のフード付き衣服の使用が可能になる。さらに、例えば、疎水性繊維を構成材料に用いることで、速乾性を有するフード付き衣服１としてもよい。尚、疎水性繊維については特に限定されず、従来公知のものを採用することができる。
【符号の説明】
【００２６】
１  フード付き衣服
１０  フード
１１  フード本体
１２  開口部
１３  シールド部
１４  接続部
１４ａ  開口部側エレメント列
１４ｂ  シールド部側エレメント列
１４ｃ  スライダー
２０  上衣
【図１】
0003227230.tif 000003
【図２】
0003227230.tif 000004
【図３】
0003227230.tif 000005
【図４】
0003227230.tif 000006